(57)【要約】      （修正有）【課題】マイクロタイプメモリカードとユーザー識別モジュールの積層コネクタの提供。【解決手段】コネクタ１は基板上方に設けられ、且つコネクタは収容空間１１を具え、並びに収容空間内が隔板１２でメモリカードモジュール１３と身分識別モジュール１４に分けられ、メモリカードモジュールの一端に導電端子セット１３１が設けられ、且つ身分識別モジュールの底面に導電端子セットが設置され、並びにコネクタ上方がシールドカバー２で被覆され、メモリカードと身分識別カードがコネクタ内に共に挿入されて電気的接続を形成し、記憶と身分識別の機能を共に提供するよう形成されている。【選択図】図１
0003103684.tif 000002
【実用新案登録請求の範囲】
【請求項１】
コンピュータ及び携帯電話に適用されるマイクロタイプメモリカードとユーザー識別モジュールの積層コネクタであり、該コネクタは基板上方に設置され、且つ該コネクタは収容空間を具え、該収容空間内が隔板でメモリカードモジュールと身分識別モジュールに分けられ、メモリカードモジュールの一端に導電端子セットが設けられ、且つ身分識別モジュールの底面に別の導電端子セットが設置され、並びにコネクタ上方がシールドカバーで被覆され、メモリカードと身分識別カードがコネクタ内に共に挿入されて電気的接続を形成し、記憶と身分識別の機能を共に提供するよう形成されたことを特徴とする、マイクロタイプメモリカードとユーザー識別モジュールの積層コネクタ。
【請求項２】
請求項１記載のマイクロタイプメモリカードとユーザー識別モジュールの積層コネクタにおいて、メモリカードモジュールの一側に押動装置が設けられたことを特徴とする、マイクロタイプメモリカードとユーザー識別モジュールの積層コネクタ。
【請求項３】
請求項１記載のマイクロタイプメモリカードとユーザー識別モジュールの積層コネクタにおいて、メモリカードモジュールの両側に検出端子と接地片が設けられたことを特徴とする、マイクロタイプメモリカードとユーザー識別モジュールの積層コネクタ。
【考案の詳細な説明】
【技術分野】
【０００１】
本考案はマイクロタイプメモリカードとユーザー識別モジュールの積層コネクタに係り、特に、コンピュータ及び携帯電話のコネクタに適用され、該コネクタの収容空間に隔板が設けられて収容空間をメモリカードモジュールと身分識別モジュールに区画し、コネクタ内に挿入されるメモリカードと身分識別カードの電気的接続を提供し、記憶と身分識別の機能を提供する、マイクロタイプメモリカードとユーザー識別モジュールの積層コネクタに関する。
【背景技術】
【０００２】
テクノロジー情報が発達した現代社会にあって、携帯電話はすでに広く普及し、一人が一台を保有する状況となっている。携帯電話の使用数量は年々増加し、新時代の潮流の流行の一つとなっており、携帯電話の使用率の増加に伴い、携帯電話の種類、形式も各種の形式が発展し、昔の最も大型の携帯電話から現在では体積が小さく、軽量で、携帯に便利で、良好な受信能力、多機能等の多くの要求がなされるようになった。例えば、カメラ機能や電子メールの送受信、呼び出し音楽、イメージ或いはその他の情報データのダウンロード等の機能が求められるようになり、このため携帯電話は多くのデータを保存するための大きなメモリ空間を必要とするようになった。しかし、一般に携帯電話のメモリには制限があり、あまり多くのデータを保存することはできない。さらに、一般にコンピュータは比較的大きなメモリ空間を有しているが、往々にして身分識別の機能を提供できず、コンピュータ内に保存された重要なデータ、例えば会社内部の機密文献、顧客、帳簿データ及び営業秘密等が他人により簡単に読まれたり盗まれたりされる。
【０００３】
周知のカードコネクタには単一カード及びマルチカードの二種類の形式があり、単一カードコネクタは一種類のメモリカードしか挿入できず、マルチカードコネクタは複数のスロットを具えて異なる形式のメモリカードを挿入できる。しかし周知のカードコネクタは異なるメモリカードの挿入機能しか提供できず、身分識別カードの挿入を行なうことはできず、このためメモリカードコネクタは僅かに記憶、保存の機能しか達成できず、身分識別の機能を達成できない。ゆえに、上述の周知の多くの欠点と不便に対し、関係業者は改善のために努力を行なっている。
【考案の開示】
【考案が解決しようとする課題】
【０００４】
本考案はコンピュータ及び携帯電話に適用されて身分識別と保存機能を共に具えたマイクロタイプメモリカードとユーザー識別モジュールの積層コネクタを提供するものである。
【０００５】
即ち本考案の主要な目的は、コネクタにメモリカードモジュールと身分識別モジュールを設け、メモリカードモジュールの一端に導電端子セットを設け、且つ身分識別モジュールの底面に導電端子セットを設け、並びにコネクタ情報をシールドカバーで被覆し、メモリカードと身分識別カードを同時にコネクタ内に挿入して電気的接続を形成できるようにし、記憶と身分識別の機能を共に提供できるようにすることにある。
【０００６】
本考案の次の目的は、メモリカードモジュールの一側に押動装置を設けてメモリカードの圧入或いは退出に供することにある。
【０００７】
本考案の別の目的は、メモリカードモジュールの両側に検出端子と接地片を設け、メモリカードが正確に位置決めされたかを検出できるようにし、また、雑音を防止できるようにすることにある。
【課題を解決するための手段】
【０００８】
請求項１の考案は、コンピュータ及び携帯電話に適用されるマイクロタイプメモリカードとユーザー識別モジュールの積層コネクタであり、該コネクタは基板上方に設置され、且つ該コネクタは収容空間を具え、該収容空間内が隔板でメモリカードモジュールと身分識別モジュールに分けられ、メモリカードモジュールの一端に導電端子セットが設けられ、且つ身分識別モジュールの底面に別の導電端子セットが設置され、並びにコネクタ上方がシールドカバーで被覆され、メモリカードと身分識別カードがコネクタ内に共に挿入されて電気的接続を形成し、記憶と身分識別の機能を共に提供するよう形成されたことを特徴とする、マイクロタイプメモリカードとユーザー識別モジュールの積層コネクタとしている。
請求項２の考案は、請求項１記載のマイクロタイプメモリカードとユーザー識別モジュールの積層コネクタにおいて、メモリカードモジュールの一側に押動装置が設けられたことを特徴とする、マイクロタイプメモリカードとユーザー識別モジュールの積層コネクタとしている。
請求項３の考案は、請求項１記載のマイクロタイプメモリカードとユーザー識別モジュールの積層コネクタにおいて、メモリカードモジュールの両側に検出端子と接地片が設けられたことを特徴とする、マイクロタイプメモリカードとユーザー識別モジュールの積層コネクタとしている。
【考案の効果】
【０００９】
本考案の効果は以下のとおりである。
１．コネクタにメモリカードモジュールと身分識別モジュールを設け、メモリカードモジュールの一端に導電端子セットを設け、且つ身分識別モジュールの底面に導電端子セットを設け、並びにコネクタ情報をシールドカバーで被覆し、メモリカードと身分識別カードを同時にコネクタ内に挿入して電気的接続を形成できるようにし、記憶と身分識別の機能を共に提供できるようにしている。
２．メモリカードモジュールの一側に押動装置を設けてメモリカードの圧入或いは退出に供している。
３．メモリカードモジュールの両側に検出端子と接地片を設け、メモリカードが正確に位置決めされたかを検出できるようにし、また、雑音を防止できるようにしている。
【考案を実施するための最良の形態】
【００１０】
図１、２は本考案の立体分解図、底面立体外観図である。本考案はコネクタ１とシールドカバー２で組成されている。
【００１１】
該コネクタ１は収容空間１１を具え、該収容空間１１内に隔板１２が設けられ、これにより収容空間１１がメモリカードモジュール１３と身分識別モジュール１４に区画されている。該メモリカードモジュール１３の一端に導電端子セット１３１が設けられ、且つ身分識別モジュール１４の底面に別の導電端子セット１４１が設けられている。さらに、メモリカードモジュール１３の一側に押動装置１３２が設けられ、且つメモリカードモジュール１３の両側に検出端子１３３と接地片１３４が設けられ、最後にシールドカバー２でコネクタ１の上方が被覆されている。
【００１２】
図３、４は本考案のメモリカードと身分識別カードの挿入中、及び挿入後の状態表示図である。図示されるように、本考案のコネクタ１は基板３の上方に設置され、メモリカード４はメモリカードモジュール１３内に挿入され、押動装置１３２により係止、位置決めされ、さらに身分識別カード５が身分識別モジュール１４に挿入されて電気的接続が形成され、こうして本考案の組立が完成する。組立完成時に、メモリカード４と身分識別カード５末端はそれぞれメモリカードモジュール１３と身分識別モジュール１４の外に露出し、使用者が抜き取って異なるメモリカード４及び身分識別カード５に交換でき、その実用性が増されている。且つ検出端子１３３及び接地片１３４の設置により、メモリカード４が正確に位置決めされたかを検出でき、また、雑音の干渉が防止される。
【００１３】
さらに、本考案のコネクタ１はコンピュータ及び携帯電話に適用されて、コンピュータにもとのデータ保存機能を保存させるほか、それに身分識別の機能と秘密防護の機能を具備させ、携帯電話にもとの身分識別の機能を保存させるほか、大きなメモリ機能を具備させて更に多くのデータを保存できるようにし、その実用性を増す。
【００１４】
以上の実施例は本考案の実施範囲を限定するものではなく、本考案に基づきなしうる細部の修飾或いは改変は、いずれも本考案の請求範囲に属するものとする。
【図面の簡単な説明】
【００１５】
【図１】本考案の立体分解図である。
【図２】本考案の底面立体外観図である。
【図３】本考案のメモリカードと身分識別カードの挿入中の状態表示図である。
【図４】本考案のメモリカードと身分識別カードの挿入後の状態表示図である。
【符号の説明】
【００１６】
１  コネクタ
１１  収容空間                    １３３  検出端子
１２  隔板                        ３４  接地片
１３  メモリカードモジュール      １４  身分識別カード
１３１  導電端子セット            １４１  導電端子セット
１３２  押動装置
２  シールドカバー
３  基板
４  メモリカード
５  身分識別カード
【図１】
0003103684.tif 000003
【図２】
0003103684.tif 000004
【図３】
0003103684.tif 000005
【図４】
0003103684.tif 000006